(57)【要約】      （修正有）【課題】共振送信部を含む外部の電力送信装置による無線充電のために、受信導電性ワイヤーループ（ｃｏｎｄｕｃｔｉｖｅ  ｗｉｒｅ  ｌｏｏｐ）および共振キャパシタを含む共振受信部を含む３Ｄメガネおよび無線電力伝送システムを提供する。【解決手段】無線充電が可能な３Ｄメガネおよび無線電力伝送システムが提供される。メガネフレームと、無線充電のための受信導電性ワイヤーループおよび共振キャパシタを含む共振受信部と、共振受信部により発生した電圧を整流する整流部と、整流された電圧を使ってバッテリを充電する充電部と、第１メガネテンプル部と、第２メガネテンプル部を含むが、前記メガネフレームは一体化したまたは分離した第１レンズホルダー部と、第２レンズホルダー部と、前記第１レンズホルダー部および前記第２レンズホルダー部を接続するブリッジ部を含む。３Ｄメガネを充電する際のユーザの便宜性が増大する。【選択図】図３
2011239673.tif 000002
【特許請求の範囲】
【請求項１】
３Ｄメガネにおいて、
メガネフレーム（ｆｒａｍｅ）と、
無線充電のための受信導電性ワイヤーループ（ｃｏｎｄｕｃｔｉｖｅ  ｗｉｒｅ  ｌｏｏｐ）および共振キャパシタを含む共振受信部と、
前記共振受信部により発生した電圧を整流する整流部と、
前記整流された電圧を使ってバッテリを充電する充電部と、
第１メガネテンプル（ｔｅｍｐｌｅ）部と、
第２メガネテンプル部とを含むが、
前記メガネフレームは一体化したまたは分離した第１レンズホルダー部（ｌｅｎｓ  ｈｏｌｄｅｒ  ｐａｒｔ）と、第２レンズホルダー部と、前記第１レンズホルダー部および前記第２レンズホルダー部を接続するブリッジ部（ｂｒｉｄｇｅ  ｐａｒｔ）を含むことを特徴とする３Ｄメガネ。
【請求項２】
前記受信導電性ワイヤーループ（ｃｏｎｄｕｃｔｉｖｅ  ｗｉｒｅ  ｌｏｏｐ）は、前記メガネフレーム内に装着され、前記メガネフレームの周縁を囲い込む形態であることを特徴とする請求項１に記載の３Ｄメガネ。
【請求項３】
前記受信導電性ワイヤーループ（ｃｏｎｄｕｃｔｉｖｅ  ｗｉｒｅ  ｌｏｏｐ）は、前記メガネフレーム内に装着され、前記第１レンズホルダー部の周縁を囲い込む形態であることを特徴とする請求項１に記載の３Ｄメガネ。
【請求項４】
前記共振キャパシタは、前記第１レンズホルダー部と、前記ブリッジ部と、前記第１メガネテンプル部のうちいずれか一つの内部に装着されることを特徴とする請求項１に記載の３Ｄメガネ。
【請求項５】
前記整流部は、前記第１レンズホルダー部と、前記ブリッジ部と、前記第１メガネテンプル部のうちいずれか一つの内部に装着されることを特徴とする請求項１に記載の３Ｄメガネ。
【請求項６】
前記充電部は、前記第１レンズホルダー部と、前記ブリッジ部と、前記第１メガネテンプル部のうちいずれか一つの内部に装着されることを特徴とする請求項１に記載の３Ｄメガネ。
【請求項７】
前記受信共振部は、
前記受信導電性ワイヤーループ（ｃｏｎｄｕｃｔｉｖｅ  ｗｉｒｅ  ｌｏｏｐ）に発生した電流が誘導されるピックアップ導電性ワイヤーループ（ｐｉｃｋ−ｕｐ  ｃｏｎｄｕｃｔｉｖｅ  ｗｉｒｅ  ｌｏｏｐ）を更に含むことを特徴とする請求項１に記載の３Ｄメガネ。
【請求項８】
前記ピックアップ導電性ワイヤーループ（ｐｉｃｋ−ｕｐ  ｃｏｎｄｕｃｔｉｖｅ  ｗｉｒｅ  ｌｏｏｐ）は、前記メガネフレーム内に装着され、前記メガネフレームの周縁を囲い込む形態であることを特徴とする請求項７に記載の３Ｄメガネ。
【請求項９】
前記ピックアップ導電性ワイヤーループ（ｐｉｃｋ−ｕｐ  ｃｏｎｄｕｃｔｉｖｅ  ｗｉｒｅ  ｌｏｏｐ）は、前記メガネフレーム内に装着され、前記第１レンズホルダー部の周縁を囲い込む形態であることを特徴とする請求項７に記載の３Ｄメガネ。
【請求項１０】
前記３Ｄメガネは、
前記整流部の出力電圧を前記充電部に適した電圧に変換するＤＣ  ｔｏ  ＤＣ変換部を更に含むことを特徴とする請求項１に記載の３Ｄメガネ。
【請求項１１】
前記充電部は、
前記整流部の出力電圧を使って充電動作を制御する充電ＩＣおよびバッテリを含むことを特徴とする請求項１に記載の３Ｄメガネ。
【請求項１２】
前記受信導電性ワイヤーループ（ｃｏｎｄｕｃｔｉｖｅ  ｗｉｒｅ  ｌｏｏｐ）は、ＰＣＢまたはフィルムＰＣＢを使って形成されることを特徴とする請求項１に記載の３Ｄメガネ。
【請求項１３】
前記３Ｄメガネは、
無線通信部を更に含むが、
前記無線通信部で受信した制御情報に応じて、共振部、整流部および充電部のうち少なくとも一つの充電動作を制御することを特徴とする請求項１に記載の３Ｄメガネ。
【請求項１４】
前記無線通信部は、
Ｂｌｕｅｔｏｏｔｈを使うことを特徴とする請求項１３に記載の３Ｄメガネ。
【請求項１５】
無線電力伝送システムにおいて、
電力を無線送信する共振送信部を含む電力送信装置と、
電力を無線受信する共振受信部を含む電力受信装置とを含むが、
前記共振送信部は前記電力送信装置の周縁に形成される送信導電性ワイヤーループ（ｃｏｎｄｕｃｔｉｖｅ  ｗｉｒｅ  ｌｏｏｐ）および前記送信導電性ワイヤーループ（ｃｏｎｄｕｃｔｉｖｅ  ｗｉｒｅ  ｌｏｏｐ）に接続される第１共振キャパシタを含み、
前記共振受信部は前記電力受信装置の周縁に形成される受信導電性ワイヤーループ（ｃｏｎｄｕｃｔｉｖｅ  ｗｉｒｅ  ｌｏｏｐ）および前記受信導電性ワイヤーループ（ｃｏｎｄｕｃｔｉｖｅ  ｗｉｒｅ  ｌｏｏｐ）に接続される第２共振キャパシタを含むことを特徴とする無線電力伝送システム。
【発明の詳細な説明】
【技術分野】
【０００１】
本発明は、３Ｄメガネおよび無線電力伝送システムに関し、より詳細には、３Ｄ映像を視聴するために３Ｄディスプレイ装置と連動する３Ｄメガネおよび無線電力伝送システムに関する。
【背景技術】
【０００２】
最近では、ディスプレイ装置が２Ｄ映像だけでなく立体感のある３Ｄ映像も提供している。特に、立体感のある３Ｄ映像を視聴するためのディスプレイ装置としては、特殊眼鏡を使う眼鏡式と、特殊眼鏡を使わない非眼鏡式とがある。
【０００３】
特殊眼鏡を使う眼鏡式の場合、相互補色関係にある色フィルタを用いて映像を分離選択する色フィルタ方式、直交した偏光素子の組み合わせによる遮光効果を用いて左眼と右眼との映像を分離する偏光フィルタ方式、および、左眼映像信号と右眼映像信号とをスクリーンに投射する同期信号に対応して左眼と右眼とを交互に遮断することで、立体感を感じられるようにするシャッターグラス方式が存在する。
【０００４】
一方、立体感のある３Ｄ映像を視聴するために、シャッターグラス方式のディスプレイ装置では、ディスプレイ装置から送信された同期信号により３Ｄメガネの左眼グラスと右眼グラスとが交互にオン／オフにならなければならない。
【０００５】
即ち、３Ｄ映像を視聴するためには、３Ｄメガネを駆動するための電源供給が必要となる。従来にはこのような３Ｄメガネに電源を供給するために、使い捨てバッテリを挿入したりＵＳＢケーブルを用いて充電しなければならなかった。従って、使い捨てバッテリを挿入する場合、毎回バッテリを取り替えなければならならず、費用もかかるという不都合があった。なお、ＵＳＢケーブルを用いて３Ｄメガネを充電する場合、充電する際に常にＵＳＢケーブルを持ち歩かなければならず、見た目上よくないという短所があった。
【０００６】
従って、ユーザが、より便利に３Ｄメガネを充電するために、無線で３Ｄメガネを充電することができる方策が求められる。
【先行技術文献】
【特許文献】
【０００７】
【特許文献１】韓国特開第２００６−００５４８６１号公報
【特許文献２】韓国特開第２００９−０１３１７４６号公報
【特許文献３】韓国特開第２０１０−００２６０７５号公報
【特許文献４】米国特開第２０１０−００３６７７３号公報
【発明の概要】
【発明が解決しようとする課題】
【０００８】
本発明は、上記問題に鑑みてなされたものであり、本発明の目的とするところは、共振送信部を含む外部の電力送信装置による無線充電のために、受信導電性ワイヤーループ（ｃｏｎｄｕｃｔｉｖｅ  ｗｉｒｅ  ｌｏｏｐ）および共振キャパシタを含む共振受信部を含む３Ｄメガネおよび無線電力伝送システムを提供することにある。
【課題を解決するための手段】
【０００９】
前記目的を達成するための本発明の一実施形態に係る３Ｄメガネは、メガネフレーム（ｆｒａｍｅ）と、無線充電のための受信導電性ワイヤーループ（ｃｏｎｄｕｃｔｉｖｅ  ｗｉｒｅ  ｌｏｏｐ）および共振キャパシタを含む共振受信部と、前記共振受信部により発生した電圧を整流する整流部と、前記整流された電圧を使ってバッテリを充電する充電部と、第１メガネテンプル（ｔｅｍｐｌｅ）部と、第２メガネテンプル部を含むが、前記メガネフレームは一体化したまたは分離した第１レンズホルダー部（ｌｅｎｓ  ｈｏｌｄｅｒ  ｐａｒｔ）と、第２レンズホルダー部と、前記第１レンズホルダー部および前記第２レンズホルダー部を接続するブリッジ部（ｂｒｉｄｇｅ  ｐａｒｔ）を含む。
【００１０】
そして、前記受信導電性ワイヤーループ（ｃｏｎｄｕｃｔｉｖｅ  ｗｉｒｅ  ｌｏｏｐ）は、前記メガネフレーム内に装着され、前記メガネフレームの周縁を囲い込む形態であってよい。
【００１１】
なお、前記受信導電性ワイヤーループ（ｃｏｎｄｕｃｔｉｖｅ  ｗｉｒｅ  ｌｏｏｐ）は、前記メガネフレーム内に装着され、前記第１レンズホルダー部の周縁を囲い込む形態であってよい。
【００１２】
そして、前記共振キャパシタは、前記第１レンズホルダー部と、前記ブリッジ部と、前記第１メガネテンプル部のうちいずれか一つの内部に装着されてよい。
【００１３】
なお、前記整流部は、前記第１レンズホルダー部と、前記ブリッジ部と、前記第１メガネテンプル部のうちいずれか一つの内部に装着されてよい。
【００１４】
そして、前記充電部は、前記第１レンズホルダー部と、前記ブリッジ部と、前記第１メガネテンプル部のうちいずれか一つの内部に装着されてよい。
【００１５】
なお、前記受信共振部は、前記受信導電性ワイヤーループ（ｃｏｎｄｕｃｔｉｖｅ  ｗｉｒｅ  ｌｏｏｐ）に発生した電流が誘導されるピックアップ導電性ワイヤーループ（ｐｉｃｋ−ｕｐ  ｃｏｎｄｕｃｔｉｖｅ  ｗｉｒｅ  ｌｏｏｐ）を更に含んでよい。
【００１６】
そして、前記ピックアップ導電性ワイヤーループ（ｐｉｃｋ−ｕｐ  ｃｏｎｄｕｃｔｉｖｅ  ｗｉｒｅ  ｌｏｏｐ）は、前記メガネフレーム内に装着され、前記メガネフレームの周縁を囲い込む形態であってよい。
【００１７】
なお、前記ピックアップ導電性ワイヤーループ（ｐｉｃｋ−ｕｐ  ｃｏｎｄｕｃｔｉｖｅ  ｗｉｒｅ  ｌｏｏｐ）は、前記メガネフレーム内に装着され、前記第１レンズホルダー部の周縁を囲い込む形態であってよい。
【００１８】
そして、前記３Ｄメガネは、前記整流部の出力電圧を前記充電部に適した電圧に変換するＤＣ  ｔｏ  ＤＣ変換部を更に含んでよい。
【００１９】
なお、前記充電部は、前記整流部の出力電圧を使って充電動作を制御する充電ＩＣおよびバッテリを含んでよい。
【００２０】
そして、前記受信導電性ワイヤーループ（ｃｏｎｄｕｃｔｉｖｅ  ｗｉｒｅ  ｌｏｏｐ）は、ＰＣＢまたはフィルムＰＣＢを使って形成されてよい。
【００２１】
なお、前記３Ｄメガネは、無線通信部を更に含むが、前記無線通信部で受信した制御情報に応じて、共振部、整流部および充電部のうち少なくとも一つの充電動作を制御してよい。
【００２２】
そして、前記無線通信部は、Ｂｌｕｅｔｏｏｔｈを使ってよい。
【００２３】
一方、前記目的を達成するための本発明の一実施形態に係る無線電力伝送システムにおいて、電力を無線送信する共振送信部を含む電力送信装置と、電力を無線受信する共振受信部を含む電力受信装置とを含むが、前記共振送信部は前記電力送信装置の周縁に形成される送信導電性ワイヤーループ（ｃｏｎｄｕｃｔｉｖｅ  ｗｉｒｅ  ｌｏｏｐ）および前記送信導電性ワイヤーループ（ｃｏｎｄｕｃｔｉｖｅ  ｗｉｒｅ  ｌｏｏｐ）に接続される第１共振キャパシタを含み、前記共振受信部は前記電力受信装置の周縁に形成される受信導電性ワイヤーループ（ｃｏｎｄｕｃｔｉｖｅ  ｗｉｒｅ  ｌｏｏｐ）および前記受信導電性ワイヤーループ（ｃｏｎｄｕｃｔｉｖｅ  ｗｉｒｅ  ｌｏｏｐ）に接続される第２共振キャパシタを含んでよい。
【００２４】
そして、前記電力受信装置は、共振受信部によって発生した電圧を整流する整流部と、整流された電圧を使ってバッテリを充電する充電部とを更に含んでよい。
【００２５】
なお、前記電力受信装置は、前記整流部の出力電圧を前記充電部に適した電圧に変換するＤＣ  ｔｏ  ＤＣ変換部を更に含んでよい。
【００２６】
そして、前記電力受信装置は、前記整流部の出力電圧を使って充電動作を制御する充電ＩＣおよびバッテリを含んでよい。
【００２７】
なお、前記電力送信装置は、前記送信導電性ワイヤーループ（ｃｏｎｄｕｃｔｉｖｅ  ｗｉｒｅ  ｌｏｏｐ）に電流を誘導するフィーダー導電性ワイヤーループ（ｆｅｅｄｅｒ  ｃｏｎｄｕｃｔｉｖｅ  ｗｉｒｅ  ｌｏｏｐ）を更に含んでよい。
【００２８】
そして、前記電力受信装置は、前記受信導電性ワイヤーループ（ｃｏｎｄｕｃｔｉｖｅ  ｗｉｒｅ  ｌｏｏｐ）に発生した電流が誘導されるピックアップ導電性ワイヤーループ（ｐｉｃｋ−ｕｐ  ｃｏｎｄｕｃｔｉｖｅ  ｗｉｒｅ  ｌｏｏｐ）を更に含んでよい。
【００２９】
なお、前記受信導電性ワイヤーループ（ｃｏｎｄｕｃｔｉｖｅ  ｗｉｒｅ  ｌｏｏｐ）は、ＰＣＢまたはフィルムＰＣＢを使って形成されてよい。
【００３０】
そして、前記送信導電性ワイヤーループ（ｃｏｎｄｕｃｔｉｖｅ  ｗｉｒｅ  ｌｏｏｐ）は、Ｃｕ、ＡｌおよびＳＰＴＥのうちいずれか一つからなる金属板であってよい。
【００３１】
なお、前記電力送信装置は、ディスプレイパネルであってよい。
【００３２】
そして、前記電力送信装置は、クレイドル（ｃｒａｄｌｅ）であってよい。
【００３３】
なお、前記電力送信装置は、ボックス型または円筒型であってよい。
【００３４】
そして、前記電力受信装置は、３Ｄメガネであってよい。
【００３５】
なお、前記電力受信装置は、リモコンであってよい。
【００３６】
そして、前記電力受信装置は、無線通信部を更に含むが、前記無線通信部で受信した制御情報に応じて、共振部、整流部および充電部のうち少なくとも一つの充電動作を制御してよい。
【００３７】
そして、前記無線通信部は、Ｂｌｕｅｔｏｏｔｈを使ってよい。
【発明の効果】
【００３８】
以上説明したように本発明の多様な実施形態によれば、３Ｄメガネまたはリモコンのような電力受信装置をケーブル無しでも無線で充電することにより、３Ｄメガネまたはリモコンのような電力受信装置を充電する際のユーザの便宜性が増大する。
【図面の簡単な説明】
【００３９】
【図１】本発明の一実施形態に係る無線電力伝送システムのブロック図を示す図である。
【図２】本発明の一実施形態に係る電力送信装置のブロック図を示す図である。
【図３】本発明の一実施形態に係る電力受信装置のブロック図を示す図である。
【図４Ａ】本発明の一実施形態に係る多様な種類の電力送信装置を示す図である。
【図４Ｂ】本発明の一実施形態に係る多様な種類の電力送信装置を示す図である。
【図４Ｃ】本発明の一実施形態に係る多様な種類の電力送信装置を示す図である。
【図５】本発明の一実施形態に係る電力受信装置である３Ｄメガネを示す図である。
【図６Ａ】本発明の一実施形態に係る３Ｄメガネの多様な実施形態を示す図である。
【図６Ｂ】本発明の一実施形態に係る３Ｄメガネの多様な実施形態を示す図である。
【図６Ｃ】本発明の一実施形態に係る３Ｄメガネの多様な実施形態を示す図である。
【図７】本発明の一実施形態に係る電力受信装置であるリモコンを示す図である。
【発明を実施するための形態】
【００４０】
以下に添付図面を参照しながら、本発明の好適な実施の形態について詳細に説明する。
【００４１】
図１は、本発明の一実施形態に係る無線電力伝送システム１００のブロック図を示す図である。同図に示すように、無線電力伝送システム１００は無線で電力を伝送する電力送信装置１１０および電力送信装置１１０から伝送される電力を無線で受信する電力受信装置１２０を含む。
【００４２】
電力送信装置１１０は、電源部から供給される電気的エネルギーを磁気的エネルギーに変換し、変換された磁気的エネルギーを共振送信部を介して電力受信装置１２０に無線で送信する。このとき、電力送信装置１１０は３Ｄメガネまたはリモコンを保管するクレイドル（ｃｒａｄｌｅ）または３Ｄディスプレイ装置で実現できる。
【００４３】
特に、電力送信装置１１０に含まれた共振送信部は、電力送信装置の周縁に形成される送信導電性ワイヤーループ（ｃｏｎｄｕｃｔｉｖｅ  ｗｉｒｅ  ｌｏｏｐ）および送信導電性ワイヤーループ（ｃｏｎｄｕｃｔｉｖｅ  ｗｉｒｅ  ｌｏｏｐ）に接続される第１共振キャパシタを含む。電力送信装置１１０については、図２および図４Ａないし図４Ｃを参考に後述する。
【００４４】
電力受信装置１２０は、電力送信装置１１０から伝送される磁気的エネルギーを共振受信部を介して無線で受信し、受信された磁気的エネルギーを電気的エネルギーに変換してバッテリを保存する。このとき、電力受信装置１２０は３Ｄメガネまたはリモコンなどで実現できる。
【００４５】
特に、電力受信装置１２０に含まれた共振受信部は、電力受信装置１２０の周縁に形成される受信導電性ワイヤーループ（ｃｏｎｄｕｃｔｉｖｅ  ｗｉｒｅ  ｌｏｏｐ）および受信導電性ワイヤーループ（ｃｏｎｄｕｃｔｉｖｅ  ｗｉｒｅ  ｌｏｏｐ）に接続される第２共振キャパシタを含む。電力受信装置１２０については、図３および図５ないし図７を参考に後述する。
【００４６】
以下では、図２および図３を参照して、無線電力伝送システム１００の無線充電を説明する。図２は、本発明の一実施形態に係る電力送信装置１１０のブロック図を示す図である。同図に示すように、電力送信装置１１０は、送信回路部１１１と、送信フィーダー（ｆｅｅｄｅｒ）部１１２、および、第１共振キャパシタ１１３と送信導電性ワイヤーループ１１４とを含む共振送信部１１５を含む。
【００４７】
送信回路部１１１は、電源部（図示せず）から伝送されたＤＣ電圧を用いて高周波のＡＣ波形を生成して磁場を形成させ、共鳴周波数に集中した磁場を形成する。そして、送信回路部１１１は高周波（ＭＨｚ級）のＡＣ波形を生成して送信フィーダー部１１２に励磁させる。
【００４８】
送信フィーダー部１１２は、インダクティブカップリング（ｉｎｄｕｃｔｉｖｅ  ｃｏｕｐｌｉｎｇ）の形態で接続された共振送信部１１５を励磁させ、特定周波数に集中した磁場の生成を誘導する。このとき、特定周波数は１３．５６ＭＨｚであってよい。特に、送信フィーダー部１１２は共振送信部に電流を誘導するフィーダー導電性ワイヤーループ（ｆｅｅｄｅｒ  ｃｏｎｄｕｃｔｉｖｅ  ｗｉｒｅ  ｌｏｏｐ）を含む。
【００４９】
共振送信部１１５は、特定周波数に集中した磁場を生成する。このとき、共振送信部１１５は電力送信装置１１０の周縁に形成される送信導電性ワイヤーループ（ｃｏｎｄｕｃｔｉｖｅ  ｗｉｒｅ  ｌｏｏｐ）１１４および送信導電性ワイヤーループ（ｃｏｎｄｕｃｔｉｖｅ  ｗｉｒｅ  ｌｏｏｐ）に接続される第１共振キャパシタ１１３を含む。このとき、送信導電性ワイヤーループ１１４は、Ｃｕ、ＡｌおよびＳＰＴＥのうちいずれか一つからなる金属板であってよい。
【００５０】
即ち、共振送信部１１５は、ＬＣ共振器として、キャパシタとインダクタの値を変化させてＱ値（ｑｕａｌｉｔｙ  ｆａｃｔｏｒ）および共振周波数を変更させることができる。
【００５１】
上述のように、電力送信装置１１０の共振送信部１１５から生成された磁気的エネルギーが無線で電力受信装置１２０に伝送される。
【００５２】
図３は、本発明の一実施形態に係る電力受信装置１２０のブロック図を示す図である。同図に示すように、電力受信装置１２０は、受信導電性ワイヤーループ１２１と第２共振キャパシタ１２２とを含む共振受信部１２３と、受信ピックアップ（Ｐｉｃｋ−ｕｐ）部１２４と、整流部１２５と、ＤＣ  ｔｏ  ＤＣ変換部１２６および充電部１２７を含む。
【００５３】
共振受信部１２３は、特定周波数をもつ磁気的エネルギーを受信する。具体的に、共振受信部１２３は、電力受信装置１２０の周縁の形成される受信導電性ワイヤーループ（ｃｏｎｄｕｃｔｉｖｅ  ｗｉｒｅ  ｌｏｏｐ）１２１および受信導電性ワイヤーループ１２１に接続される第２共振キャパシタ１２２を含む。このとき、受信導電性ワイヤーループ１２１は、ＰＣＢまたはフィルムＰＣＢを使って形成されることができる。
【００５４】
このとき、共振受信部１２３は、共振送信部１１５から生成された特定周波数の磁場により共振受信部１２３がアクティベーションされることで、電流が流れるようになる。
【００５５】
受信ピックアップ部１２４は、共振受信部１２３とインダクティブカップリングされて共振受信部１２３からエネルギーを受信する。特に、受信ピックアップ部１２４は受信導電性ワイヤーループ１２１から発生した電流が誘導されるピックアップ導電性ワイヤーループを含む。
【００５６】
整流部１２５は、受信ピックアップ部１２４から伝送されたＡＣ電圧をＤＣに整流する。このとき、整流部１２５は４つのダイオードを備えるブリッジダイオードとフィルタリングの役割を果たすキャパシタを備えることができる。その他にも、整流部１２５はＡＣをＤＣに整流する別の回路が用いられることができる。
【００５７】
ＤＣ  ｔｏ  ＤＣ変換部１２６は、整流部１２５によって整流されたＤＣ電圧が常に一定の電圧を維持しているわけではないため、常に一定の電圧になれるように入力される電圧を調整する。
【００５８】
充電部１２７は、前記整流された一定の電圧を充電する。特に、充電部１２７は整流部１２５の出力電圧を使って充電動作を制御する充電ＩＣおよびバッテリを含んでよい。このとき、バッテリはスーパーキャパシタで実現できる。
【００５９】
その他に、電力受信装置１２０は、外部装置と通信を行なうための無線通信部（図示せず）を更に含んでよい。このとき、無線通信部を介して受信された制御情報に応じて、電力受信装置１２０は、共振受信部および受信ピックアップ部を含む共振部、整流部および充電部のうち少なくとも一つの充電動作を制御することができる。
【００６０】
このとき、外部装置は、リモコンまたは３Ｄディスプレイ装置であってよい。即ち、リモコンや３Ｄディスプレイ装置を介して受信された制御情報に応じて、電力受信装置１２０は充電動作を中断或いは開始できるようになる。
【００６１】
なお、無線通信部はブルートゥース（Ｂｌｕｅｔｏｏｔｈ）モジュールで実現できる。
【００６２】
上述のように、特定周波数をもつ磁場により電力受信装置１２０を無線で充電することで、電力受信装置１２０を充電する際のユーザの便宜性が増大する。
【００６３】
以下では、図４Ａないし図４Ｃを参照し、電力送信装置１１０の多様な実施形態について説明する。
【００６４】
図４Ａは、本発明の一実施形態に係る電力送信装置１１０がスタンド型クレイドルである場合を示す図である。このとき、スタンド型クレイドル形式の電力送信装置１１０は、３Ｄメガネ或いはリモコンを掛けておける掛け台１４０が含まれた３Ｄメガネクレイドルである。
【００６５】
特に、同図に示すように、スタンド型クレイドル形式の電力送信装置１１０で、送信回路部１１１は下段の支持台に位置し、送信フィーダー部１１２はフレームと掛け台１４０との間の接続部に位置し、第１共振キャパシタ１１３は送信フィーダー部１１２と支持台との間に位置するフレームの一部分に位置し、送信導電性ワイヤーループ１１４は電力送信装置１１０の外部のフレームに位置してよい。
【００６６】
しかしながら、これは一実施形態に過ぎず、図３に示されたスタンド型クレイドル形式の電力送信装置１１０の構成と異なるように配置されて実現できる。
【００６７】
図４Ｂは、本発明の一実施形態に係る電力送信装置１１０がボックス型クレイドルである場合を示す図である。同図の上から一番目に示すように、ボックス型クレイドル形式の電力送信装置１１０は３Ｄメガネ或いはリモコンを置いておけるボックス型の３Ｄメガネクレイドルである。同図の上から二番目に示された図は、ボックス型クレイドル形式の電力送信装置１１０の内部に含まれた共振器構造を示すものである。同図の上から３番目に示された図は、共振器の内部構造を示すものである。
【００６８】
特に、図４Ｂに示すように、送信回路部１１１はフレームの一側に形成され、送信フィーダー部１１２はフレーム内部に形成され、第１共振キャパシタ１１３は送信回路部１１１とフレームとの間の一領域に形成され、送信導電性ワイヤーループ１１４は共振器のフレームに位置するようになる。
【００６９】
しかしながら、これは一実施形態に過ぎず、図４Ｂの上から二番目に示されたボックス型クレイドル形式の電力送信装置１１０の構成と異なるように配置されて実現できる。
【００７０】
なお、図４Ｂではボックス型クレイドルについて説明したが、円筒型クレイドルのような電力送信装置１１０にも、本発明の技術的思想が適用できる。
【００７１】
図４Ｃは、本発明の一実施形態に係る電力送信装置１１０が３Ｄディスプレイ装置である場合を示す図である。即ち、本実施形態では、３Ｄディスプレイ装置を介して電力を無線で送信し、電力受信装置１２０を充電することができる。
【００７２】
特に、同図に示すように、３Ｄディスプレイ装置のフレームに送信導電性ワイヤーループ１１４が位置し、３Ｄディスプレイ装置のフレームの一領域（例えば、上段中央部分）に第１共振キャパシタ１１３が位置してよい。その他に、送信回路部１１１および送信フィーダー部１１２は外部の装置または下段の支持台に位置することができる。
【００７３】
しかしながら、これは一実施形態に過ぎず、図４Ｃに示された３Ｄディスプレイ装置形式の電力送信装置１１０の構成とは異なるように配置されて実現できる。
【００７４】
以下では、図５ないし図６Ｃを参照し、電力受信装置１２０が３Ｄメガネである実施形態について説明する。
【００７５】
図５は、本発明の一実施形態に係る電力受信装置１２０が３Ｄメガネである場合を示す図である。このとき、３Ｄメガネは、第１レンズホルダー部１５０と、第２レンズホルダー部１５５と、第１レンズホルダー部および第２レンズホルダー部を接続するブリッジ部１６０とを含むフレーム（ｆｒａｍｅ）およびメガネテンプル１７０を含む。同図では、メガネテンプル１７０が片方のみ示されているが、これは説明の便宜上のものに過ぎず、もう片方にメガネテンプル１７０が含まれることは自明なことである。
【００７６】
図５に示すように、受信導電性ワイヤーループ１２１およびピックアップ導電性ワイヤーループ１２４はメガネフレーム内に装着され、メガネフレームの周縁を囲い込む形態で配置される。具体的に、図６Ａに示すように、受信導電性ワイヤーループ１２１およびピックアップ導電性ワイヤーループ１２４は、第１レンズホルダー部１５０と、第２レンズホルダー部１５５およびブリッジ部１６０に全て位置する形態であってよい。なお、図６Ｂに示すように、受信導電性ワイヤーループ１２１およびピックアップ導電性ワイヤーループ１２４は、第１レンズホルダー部１５０のみに位置する形態であってよい。なお、図６Ｃに示すように、受信導電性ワイヤーループ１２１は第１レンズホルダー部１５０のみに位置するが、ピックアップ導電性ワイヤーループ１２４は第１レンズホルダー部１５０と、第２レンズホルダー部１５５およびブリッジ部１６０の全てに位置する形態であってよい。
【００７７】
しかしながら、これは一実施形態に過ぎず、図６Ａおよび図６Ｃとは異なる形態で受信導電性ワイヤーループ１２１およびピックアップ導電性ワイヤーループ１２４がメガネフレーム内に装着されてよい。
【００７８】
なお、図５に示すように、第２共振キャパシタ１２２はメガネテンプル１７０に装着されることができる。ところが、これは一実施形態に過ぎず、第２共振キャパシタ１２２は、第１レンズホルダー部１５０と、ブリッジ部１６０のうちいずれか一つの内部に装着されてよい。
【００７９】
なお、図５に示すように、整流部１２５と、ＤＣ  ｔｏ  ＤＣ変換部１２６および充電部１２７は、メガネテンプル１７０のうち耳掛け部分に位置することができる。しかしながら、これは一実施形態に過ぎず、整流部１２５と、ＤＣ  ｔｏ  ＤＣ変換部１２６および充電部１２７は、３Ｄメガネの別の部分に位置してよい。
【００８０】
図７は、本発明の一実施形態に係る電力受信装置１２０がリモコンである場合を示す図である。即ち、同図に示されたリモコンは、外部の電力送信装置１１０から無線で送信された磁気エネルギーを用いて電源が充電できる。
【００８１】
このとき、同図に示すように、リモコンのフレームに受信導電性ワイヤーループ１２１が位置し、リモコンのフレームの一部分（例えば、下段中央部分）に第２共振キャパシタ１２２が位置してよい。そして、ピックアップ導電性ワイヤーループ１２４と、整流部１２５と、ＤＣ  ｔｏ  ＤＣ変換部１２６および充電部１２７は、リモコンの内部に含まれてよい。しかしながら、これは一実施形態に過ぎず、リモコン形態の電力受信装置１２０の構成が異なるように配置されて実現できる。
【００８２】
上述のように、本発明の多様な実施形態によると、３Ｄメガネまたはリモコンのような電力受信装置１２０をケーブル無しでも無線で充電することにより、３Ｄメガネまたはリモコンのような電力受信装置１２０を充電する際のユーザの便宜性が増大する。
【００８３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図１】
2011239673.tif 000003
【図２】
2011239673.tif 000004
【図３】
2011239673.tif 000005
【図４Ａ】
2011239673.tif 000006
【図４Ｂ】
2011239673.tif 000007
【図４Ｃ】
2011239673.tif 000008
【図５】
2011239673.tif 000009
【図６Ａ】
2011239673.tif 000010
【図６Ｂ】
2011239673.tif 000011
【図６Ｃ】
2011239673.tif 000012
【図７】
2011239673.tif 000013